(57)【要約】【課題】様々な建築構造の基礎に適用することができるアンカーボルトを提供する。【解決手段】本考案のアンカーボルト１は、リブ部、突出部及び外ねじ山部を備え、これらを順番に接続される、リブ部１０、突出部１１及び外ねじ山部１２を含む。リブ部１０の表面には、横リブ１００及び縦リブ１０１が形成される。外ねじ山部１２の表面は、外ねじ山１２０を有する。突出部１１は、リブ部１０と外ねじ山部１２とが接合されて形成され、接合方式は、はんだ接合、溶接、焼き付け又は圧着である。リブ部１０及び外ねじ部１２は、同一又は異なる材料からなる。即ち、本考案は、同一又は異なる材料のリブ部１０と外ねじ山部１２とが摩擦圧着はんだ接合又は高周波溶接されることによって形成される建築構造の基礎に適用されるアンカーボルト１を提供するものである。【選択図】図１
0003192371.tif 000002
【実用新案登録請求の範囲】
【請求項１】
リブ部、突出部及び外ねじ山部を備え、これらを順番に接続するアンカーボルトであって、
前記リブ部の表面には、横リブ及び縦リブが形成され、前記外ねじ山部の表面は、外ねじ山を有し、前記リブ部及び前記外ねじ山部は、異なる材料からなり、前記突出部は、前記リブ部と前記外ねじ山部とが接合されて形成されることを特徴とするアンカーボルト。
【請求項２】
前記リブ部は、鉄筋であり、前記外ねじ山部は、炭素鋼、合金銅、銅材又はステンレス鋼材からなることを特徴とする請求項１に記載のアンカーボルト。
【請求項３】
前記外ねじ山部は、鋼体の柱底板に貫設されて接合され、前記アンカーボルトは、少なくとも１つのナットによって前記柱底板上に位置決めされることを特徴とする請求項１に記載のアンカーボルト。
【請求項４】
前記外ねじ山部の直径は、前記ナットの口径と略同一であり、前記外ねじ山部の断面は、不規則形状でもよいことを特徴とする請求項３に記載のアンカーボルト。
【請求項５】
リブ部、突出部及び外ねじ山部を備え、これらを順番に接続するアンカーボルトであって、
前記リブ部の表面には、横リブ及び縦リブが形成され、前記外ねじ山部の表面は、外ねじ山を有し、前記リブ部及び前記外ねじ山部は、同一の材料からなり、前記突出部は、前記リブ部と前記外ねじ山部とが接合されて形成されることを特徴とするアンカーボルト。
【請求項６】
前記リブ部及び前記外ねじ山部は、鉄筋であることを特徴とする請求項５に記載のアンカーボルト。
【請求項７】
前記外ねじ山部は、鋼体の柱底板に貫設されて接合され、前記アンカーボルトは、少なくとも１つのナットによって前記柱底板上に位置決めされることを特徴とする請求項５に記載のアンカーボルト。
【請求項８】
前記外ねじ山部の直径は、前記ナットの口径と略同一であり、前記外ねじ山部の断面は、不規則形状でもよいことを特徴とする請求項７に記載のアンカーボルト。
【請求項９】
前記断面は、楕円形が最も好ましいことを特徴とする請求項４又は８に記載のアンカーボルト。
【請求項１０】
前記リブ部と前記外ねじ山部との接合方式は、はんだ接合、溶接、焼き付け又は圧着であり、前記はんだ接合は、摩擦圧着はんだ接合が最も好ましく、前記溶接は、高周波溶接が最も好ましいことを特徴とする請求項１又は５に記載のアンカーボルト。
【考案の詳細な説明】
【技術分野】
【０００１】
本考案は、ボルトに関し、特に、同一又は異なる材料からなるリブ部と外ねじ山部とがはんだ接合、溶接、焼き付け又は圧着されることによって形成され、様々な建築構造の基礎を支持するのに適用されるアンカーボルトに関する。
【背景技術】
【０００２】
鉄筋の種類は多く、最も多く見られる丸鋼、四角鋼、異形鉄筋、などが存在し、建築構造内において支持を行う骨組みとして使用される。建築構造は、必要に応じて建造され、建築物、橋梁などは、何れも建築構造に含まれる。このため、各建築構造で使用される鉄筋の種類及び寸法は、何れも異なる。
【０００３】
鉄筋の種類及び寸法は、建築構造に応じて変更及び選択する必要があるため、多くの鉄筋が余って使用されず、これによってコストが増大し、経済的ではない。このため、鉄筋の余りを有効に利用することが求められていた。
【先行技術文献】
【特許文献】
【０００４】
【特許文献１】特開２０１１−１０２５１３号公報
【考案の概要】
【考案が解決しようとする課題】
【０００５】
本考案の主な目的は、同一又は異なる材料からなるリブ部と外ねじ山部とがはんだ接合、溶接、焼き付け又は圧着されることによって形成され、建築構造の基礎として使用することができるアンカーボルトを提供することにある。
本考案のもう１つの目的は、ナットによってアンカーボルトと柱底板との相対位置を調整及び位置規制することにより、様々な建築構造の基礎に適用することができるアンカーボルトを提供することにある。
【課題を解決するための手段】
【０００６】
上述の課題を解決するために、本考案のアンカーボルトは、順番に接続されるリブ部、突出部及び外ねじ山部を含む。リブ部の表面には、横リブ及び縦リブが形成される。外ねじ山部の表面は、外ねじ山を有する。突出部は、リブ部と外ねじ山部とが接合されて形成され、接合方式は、はんだ接合、溶接、焼き付け又は圧着を採用することができる。はんだ接合は、摩擦圧着はんだ接合が最も好ましく、溶接は、高周波溶接が最も好ましい。
【０００７】
リブ部及び外ねじ山部は、同一の材料からなり、鉄筋であるのが好ましい。また、リブ部及び外ねじ山部は、異なる材料から製造されてもよく、この場合、リブ部が鉄筋で、外ねじ山部が炭素鋼、合金銅、銅材又はステンレス鋼材からなる。
【考案の効果】
【０００８】
本考案は、同一又は異なる材料からなるリブ部と外ねじ山部とが摩擦圧着はんだ接合又は高周波溶接されることによって形成され、様々な建築構造の基礎に適用されるアンカーボルトを提供するものである。本考案のアンカーボルトを使用する際、外ねじ山部を鋼体が接合された柱底板に貫設し、少なくとも１つのナットにより、アンカーボルトを柱底板上に位置決めする。また、ナットにより、アンカーボルトを柱底板に螺着する位置を調整することができるため、様々な建築構造の基礎に適用することができる。また、外ねじ山部の直径は、ナットの口径に略等しく、外ねじ山部の断面は、不規則形状であり、楕円形状が最も好ましい。
【図面の簡単な説明】
【０００９】
【図１】本考案の第１実施形態によるアンカーボルトを示す斜視図である。
【図２】本考案の第１実施形態によるアンカーボルトの使用状態を示す断面図である。
【図３】本考案の第１実施形態によるアンカーボルトの使用状態を示す断面図である。
【図４】図３の線Ａ−Ａに沿った断面図である。
【図５】本考案の第１実施形態によるアンカーボルトを建築構造の支柱に応用した状態を示す断面図である。
【図６】本考案の第２実施形態によるアンカーボルトを示す斜視図である。
【図７】本考案の第２実施形態によるアンカーボルトの使用状態を示す断面図である。
【図８】本考案の第２実施形態によるアンカーボルトを建築構造の支柱に応用した状態を示す断面図である。
【考案を実施するための形態】
【００１０】
（第１実施形態）
図１を参照する。本考案のアンカーボルト１は、リブ部１０、突出部１１及び外ねじ山部１２を備え、これらを順番に接続することを含む。
【００１１】
リブ部１０の表面には、横リブ１００及び縦リブ１０１が形成される。外ねじ山部１２の表面は、外ねじ山１２０を有する。外ねじ山１２０は、三角ねじ山、階段状ねじ山、四角ねじ山などである。リブ部１０及び外ねじ山部１２の直径は、同一又は異なる。リブ部１０及び外ねじ山部１２は、異なる材料からなる。図１中のリブ部１０は、異形鉄筋を例示し、外ねじ山部１２は、外ねじ山１２０を有する接続ロッド（炭素鋼、合金銅、銅材、ステンレス鋼材又は他の金属材からなる）を例示し、突出部１１は、材料の異なるリブ部１０と外ねじ山部１２とがはんだ接合、溶接、焼き付け又は圧着されることによって形成される。はんだ接合は、摩擦圧着はんだ接合が最も好ましく、溶接は、高周波溶接が最も好ましい。以上の構造によって建築構造の基礎に適用することができるアンカーボルト１が構成される。
【００１２】
図２に示すように、本考案のアンカーボルト１を使用する際、アンカーボルト１の外ねじ山部１２を鋼体２が接合された柱底板３に貫設する。また、ナット５により、アンカーボルト１を柱底板３上に位置決めする。これと同時に、外ねじ山部１２により、ナット５と柱底板３との固定位置を位置規制する。これにより、鋼体２からなる建築構造は、コンクリート４によって支持される以外に、アンカーボルト１によって建築構造の支持が強化されるため、アンカーボルト１が建築構造を安定させる要素の一つとなる。
【００１３】
また、横リブ１００及び縦リブ１０１により、リブ部１０とコンクリート４との接触面積が増大するため、コンクリート４との接着力を高めることができる。
【００１４】
図３を参照する。ユーザは、必要に応じてアンカーボルト１上に螺着されるナット５により、アンカーボルト１を柱底板３に螺設する程度を調整して高さを調整することができるため、アンカーボルト１を様々な建築構造の基礎を支持するのに適用することができる。
【００１５】
図１、図２及び図４を参照する。図４から分かるように、外ねじ山部１２の直径Ｄ２は、ナット５の口径Ｄ１と略等しいため、アンカーボルト１の外ねじ山部１２とナット５とを互いに螺着させることができるという条件の下、外ねじ山部１２の断面１２１を不規則形状にすることができる。これにより、リブ部１０には、多種の断面形状の外ねじ山部１２を接合することができる。
【００１６】
図５を参照する。本考案の第１実施形態のアンカーボルト１は、建築構造の支柱上に応用され、本考案のアンカーボルト１は、柱底板３を支持及び調整するために用いることができる以外に、主鉄筋に代わって補助鉄筋６と組み合わせて建築構造の支柱要素とすることができ、材料コストを節約した場合でも建築構造の基礎の安定性を高めることができる。
【００１７】
（第２実施形態）
図６を参照する。図６に示すように、本考案の第２実施形態は、第１実施形態と略同一である。本考案の第２実施形態においては、アンカーボルト１のリブ部１０及び外ねじ山部１２が同一の材料からなり、鉄筋が好ましい。また、外ねじ山部１２の外ねじ山１２０は、細いねじ山でもよい。同一の材料からなるリブ部１０と外ねじ山部１２とは、摩擦圧着はんだ接合、高周波溶接などの接合方式によって互いに接続され、建築構造の基礎に適用されるアンカーボルト１が形成される。
【００１８】
図７を参照する。本考案の第２実施形態によるアンカーボルト１は、第１実施形態と同様に、外ねじ山部１２を鋼体２の柱底板３に貫設して接合し、ナット５によってアンカーボルト１を柱底板３上に位置決めし、アンカーボルト１を建築構造の基礎を安定させる要素の１つとすることができる。
【００１９】
図８を参照する。図８から分かるように、第２実施形態のアンカーボルト１は、建築構造の支柱上に応用することができ、主鉄筋に代わって補助鉄筋６と組み合わせて建築構造の支柱要素とすることができ、材料コストを節約した場合でも建築構造の基礎の安定性を高めることができる。
【００２０】
上述の説明から分かるように、本考案のアンカーボルトは、以下（１）〜（４）に示す長所を有する。
（１）本考案のアンカーボルトは、リブ部及び外ねじ山部が同一又は異なる材料からなり、摩擦圧着はんだ接合又は高周波溶接によって形成され、様々な建築構造の基礎を支持するのに適用することができる。
（２）本考案のアンカーボルトが柱底板に適用される際、外ねじ山部とボルトとを互いに螺着することができるという条件の下、外ねじ山部の断面を不規則形状にすることができる。これにより、リブ部には、多種の断面形状の外ねじ山部を接合することができる。
（３）本考案のアンカーボルトは、必要に応じ、アンカーボルト上に螺着されるナットにより、アンカーボルトを柱底板に螺設する程度を調整して高さを調整することができる。
（４）本考案のアンカーボルトは、柱底板を支持及び調整するために用いることができる以外に、主鉄筋に代わって補助鉄筋と組み合わせて建築構造の支柱要素とすることができ、材料コストを節約した場合でも建築構造の基礎の安定性を高めることができる。
【符号の説明】
【００２１】
１  アンカーボルト
１０  リブ部
１００  横リブ
１０１  縦リブ
１１  突出部
１２  外ねじ山部
１２０  外ねじ山
１２１  断面
２  鋼体
３  柱底板
４  コンクリート
５  ナット
６  補助鉄筋
Ｄ１  口径
Ｄ２  直径
【図１】
0003192371.tif 000003
【図２】
0003192371.tif 000004
【図３】
0003192371.tif 000005
【図４】
0003192371.tif 000006
【図５】
0003192371.tif 000007
【図６】
0003192371.tif 000008
【図７】
0003192371.tif 000009
【図８】
0003192371.tif 000010